【手続補正書】
【提出日】平成20年11月4日(2008.11.4)
【手続補正１】
【補正対象書類名】特許請求の範囲
【補正対象項目名】全文
【補正方法】変更
【補正の内容】
【特許請求の範囲】
【請求項１】
織成された基礎布から構成された、２つの方向に補強材を伴った、一体的に織成された３次元のプレフォームであって、
前記基礎布は：
第１織成布と；
第２織成布と；
第３織成布と；
前記第１織成布と第２織成布との間で織り交ぜられた複数のヤーンであって、該複数のヤーンは、前記第１織成布と第２織成布との間の領域上に織り交ぜられ、前記第１織成布は、前記第２織成布に相対して折り畳み可能である、複数のヤーンと；
前記第２織成布と第３織成布との間で織り交ぜられた複数のヤーンであって、該複数のヤーンは、前記第２織成布と第３織成布との間の領域上に織り交ぜられ、前記第３織成布は、前記第２織成布に相対して折り畳み可能である、複数のヤーンと；
を有することを特徴とするプレフォーム。
【請求項２】
前記第１織成布は、前記第２織成布の上部表面から切断されることを特徴とする請求項１に記載の一体的に織成された３次元のプレフォーム。
【請求項３】
前記第１織成布の織り交ぜられた領域の第１の側面上の第１の部分は、第１方向に補強材を形成するように、前記第１織成布の前記の織り交ぜられた領域の第２の側面上の第１の部分とともに折り畳み可能であることを特徴とする請求項２に記載の一体的に織成された３次元のプレフォーム。
【請求項４】
前記補強材の第２の部分は、第２方向に形成された補強材用の強化部材を形成するように、折り畳み可能であることを特徴とする請求項３に記載の一体的に織成された３次元のプレフォーム。
【請求項５】
前記第３織成布は、前記第１織成布及び第２織成布に相対して、折り畳み可能であることを特徴とする請求項１に記載の一体的に織成された３次元のプレフォーム。
【請求項６】
前記の折り畳み可能な第２織成布の第１の部分、及び前記第３織成布の第１の部分は、第２方向に補強材を形成することを特徴とする請求項５に記載の一体的に織成された３次元のプレフォーム。
【請求項７】
前記の折り畳み可能な第２織成布の第２の部分は、前記の３次元のプレフォームのパネル部分を形成するように、前記第３織成布の第２の部分と同一平面であることを特徴とする請求項６に記載の一体的に織成された３次元のプレフォーム。
【請求項８】
複数のヤーンは、複数の独立した領域における前記第１織成布と前記第２織成布との間で織り交ぜられることを特徴とする請求項１に記載の一体的に織成された３次元のプレフォーム。
【請求項９】
前記第１織成布は、前記第２織成布及び第３織成布に相対して、折り畳み可能であることを特徴とする請求項８に記載の一体的に織成された３次元のプレフォーム。
【請求項１０】
前記第１織成布は、複数の領域における前記第２織成布の上部表面から切断されることを特徴とする請求項８に記載の一体的に織成された３次元のプレフォーム。
【請求項１１】
前記第１織成布及び第２織成布の複数の前記の織り交ぜられた領域の複数の第１の側面上の複数の第１の部分は、第１方向に複数の補強材を形成するように、前記第１織成布及び第２織成布の複数の前記の織り交ぜられた領域の複数の第２の側面上の複数の第１の部分とともに折り畳み可能であることを特徴とする請求項１０に記載の一体的に織成された３次元のプレフォーム。
【請求項１２】
前記の複数の補強材の第２の部分は、第２方向に形成された補強材用の複数の強化部材を形成するように、折り畳み可能であることを特徴とする請求項１１に記載の一体的に織成された３次元のプレフォーム。
【請求項１３】
前記第２織成布及び第３織成布は、前記第１織成布に相対して、折り畳み可能であることを特徴とする請求項８に記載の一体的に織成された３次元のプレフォーム。
【請求項１４】
前記の折り畳み可能な第２織成布の第１の部分、及び前記の折り畳み可能な第３織成布の第１の部分は、第２方向に補強材を提供することを特徴とする請求項１３に記載の一体的に織成された３次元のプレフォーム。
【請求項１５】
前記第２織成布の第２部分は、前記第３織成布の第２の部分と同一平面であることを特徴とする請求項１３に記載の一体的に織成された３次元のプレフォーム。
【請求項１６】
第４織成布と；
前記第３織成布と第４織成布との間で織り交ぜられた複数のヤーンであって、該複数のヤーンは、前記第３織成布に相対して前記第４織成布が折り畳み可能なように、前記第３織成布と第４織成布との間の領域上に織り交ぜられる、複数のヤーンと；
をさらに有することを特徴とする請求項１に記載の一体的に織成された３次元のプレフォーム。
【請求項１７】
前記第１織成布は、前記第２織成布、第３織成布及び第４織成布に相対して、折り畳み可能であることを特徴とする請求項１６に記載の一体的に織成された３次元のプレフォーム。
【請求項１８】
前記第１織成布は、前記第２織成布の上部表面から切断されることを特徴とする請求項１６に記載の一体的に織成された３次元のプレフォーム。
【請求項１９】
前記第１織成布及び第２織成布の織り交ぜられた領域の第１の側面上の第１の部分は、第１方向に補強材を形成するように、前記第１織成布及び第２織成布の織り交ぜられた領域の第２の側面上の第１の部分とともに折り畳み可能であることを特徴とする請求項１８に記載の一体的に織成された３次元のプレフォーム。
【請求項２０】
前記補強材の部分は、第２方向に形成された補強材用の強化部材を形成するように、折り畳み可能であることを特徴とする請求項１９に記載の一体的に織成された３次元のプレフォーム。
【請求項２１】
前記第３織成布及び第４織成布は、前記第１織成布及び第２織成布に相対して、折り畳み可能であることを特徴とする請求項１６に記載の一体的に織成された３次元のプレフォーム。
【請求項２２】
前記第４織成布は、前記第３織成布の上部表面から切断されることを特徴とする請求項１６に記載の一体的に織成された３次元のプレフォーム。
【請求項２３】
前記第３織成布及び第４織成布の織り交ぜられた領域の第１の側面上の第１の部分は、第１方向に補強材を形成するように、前記第３織成布及び第４織成布の織り交ぜられた領域の第２の側面上の第１の部分とともに折り畳み可能であることを特徴とする請求項２２に記載の一体的に織成された３次元のプレフォーム。
【請求項２４】
前記補強材の第２の部分は、第２方向に形成された補強材用の強化部材を形成するように、折り畳み可能であることを特徴とする請求項２３に記載の一体的に織成された３次元のプレフォーム。
【請求項２５】
前記の折り畳み可能な第２織成布及び第３織成布の第１の部分は、第２方向に形成された補強材を提供することを特徴とする請求項２４に記載の一体的に織成された３次元のプレフォーム。
【請求項２６】
前記の折り畳み可能な第２織成布の第２の部分は、前記第３織成布の第２の部分と同一平面であることを特徴とする請求項２５に記載の一体的に織成された３次元のプレフォーム。
【請求項２７】
得られた折り畳まれた３次元のプレフォームは、対称な配置を有することを特徴とする請求項２６に記載の一体的に織成された３次元のプレフォーム。
【請求項２８】
前記の布は、縦糸及び横糸の、ヤーン又は繊維で織成されることを特徴とする請求項１に記載の一体的に織成された３次元のプレフォーム。
【請求項２９】
縦糸繊維のパターンは、層から層、直交、及び角度的な連結からなる群から選択されるパターンであることを特徴とする請求項２８に記載の一体的に織成された３次元のプレフォーム。
【請求項３０】
織り交ぜられるヤーンは、縦糸ヤーンであることを特徴とする請求項２８に記載の一体的に織成された３次元のプレフォーム。
【請求項３１】
織り交ぜられるヤーンは、横糸ヤーンであることを特徴とする請求項２８に記載の一体的に織成された３次元のプレフォーム。
【請求項３２】
前記縦糸及び横糸ヤーンは、炭素、ナイロン、レーヨン、ポリエステル、繊維ガラス、綿、ガラス、セラミック、アラミド及びポリエチレンを有する合成又は天然材料の群から選択されることを特徴とする請求項２８に記載の一体的に織成された３次元のプレフォーム。
【請求項３３】
樹脂トランスファー成形及び化学蒸気浸透法を有する群から選択される方法により、複合構造が形成されることを特徴とする請求項１に記載の一体的に織成された３次元のプレフォーム。
【請求項３４】
マトリックス材料は、エポキシ、ポリエステル、ビニル−エステル、セラミック及び炭素を有する群から選択されることを特徴とする請求項３３に記載の一体的に織成された３次元のプレフォーム。
【請求項３５】
３つ以上の織成された布と；
第１布と第２布との間で織り交ぜられた複数のヤーンを伴った折り畳み可能な第１布から構成された第１補強材であって、該第１補強材の少なくとも一部は、第２方向に補強材を強化するように折り畳み可能である、第１補強材と；
前記第１補強材と一定の角度関係の第２補強材であって、該第２補強材は、前記第２布及び第３布の一部から構成された、第２補強材と；
前記第２布と第３布との間で織り交ぜられた複数のヤーンを伴った折り畳み可能な第３布と；
を有することを特徴とする一体に織成された３次元のプレフォーム。
【請求項３６】
前記の織成された布は、縦糸及び横糸の、ヤーン又は繊維で織成されることを特徴とする請求項３３に記載の一体に織成された３次元のプレフォーム。
【請求項３７】
当該プレフォームは、対称な配置を有することを特徴とする請求項３３に記載の一体に織成された３次元のプレフォーム。
【請求項３８】
当該プレフォームは、第１方向に１つの補強材と、第２方向に複数の補強材とを有し、該複数の補強材は、前記第１補強材と一定の角度関係にあることを特徴とする請求項３３に記載の一体に織成された３次元のプレフォーム。
【請求項３９】
縦糸繊維のパターンは、層から層、直交、及び角度的な連結からなる群から選択されるパターンであることを特徴とする請求項３３に記載の一体に織成された３次元のプレフォーム。
【請求項４０】
織り交ぜられるヤーンは、縦糸ヤーンであることを特徴とする請求項３３に記載の一体に織成された３次元のプレフォーム。
【請求項４１】
織り交ぜられるヤーンは、横糸ヤーンであることを特徴とする請求項３３に記載の一体に織成された３次元のプレフォーム。
【請求項４２】
前記縦糸及び横糸ヤーンは、炭素、ナイロン、レーヨン、ポリエステル、繊維ガラス、綿、ガラス、セラミック、アラミド及びポリエチレンを有する合成又は天然材料の群から選択されることを特徴とする請求項３３に記載の一体に織成された３次元のプレフォーム。
【請求項４３】
樹脂トランスファー成形及び化学蒸気浸透法を有する群から選択される方法により、複合構造が形成されることを特徴とする請求項３３に記載の一体に織成された３次元のプレフォーム。
【請求項４４】
前記複合構造は、エポキシ、ポリエステル、ビニル−エステル、セラミック及び炭素を有する群から選択されるマトリックス材料であることを特徴とする請求項４３に記載の一体に織成された３次元のプレフォーム。
【請求項４５】
一体に成形された３次元のプレフォームの形成方法であって：
３つ以上の織成された層を設けるステップと；
第１織成布からの複数のヤーンを、第２織成布からの複数のヤーンと織り交ぜるステップであって、前記第１織成布は、前記第２織成布と折り畳み可能な関係にある、ステップと；
前記第２織成布からの複数のヤーンを、第３織成布からの複数のヤーンと織り交ぜるステップと；
前記第１織成布を、前記第２織成布の上部表面から切断するステップと；
第１方向に補強材を形成するように、前記第１織成布及び第２織成布の織り交ぜられた領域の第１の側面上に形成された前記第１織成布の第１の部分を、前記第１織成布及び第２織成布の織り交ぜられた領域の第２の側面上に形成された前記第１織成布の第１の部分とともに折り畳むステップと；
第２方向に形成された補強材用の強化部材を形成するように、前記第１織成布の第２の部分を折り畳むステップと；
第２方向に補強材を形成するように、前記第２織成布及び第３織成布の第１の部分を折り畳むステップと；
前記のプレフォームのパネル部分を完成するように、前記第３織成布の第２の部分を折り畳むステップと；
を有することを特徴とする方法。
【請求項４６】
当該プレフォームは、ジャカード織機又はハーネス織機を用いて、織成されることを特徴とする請求項４５に記載の方法。
【請求項４７】
前記の織成された布は、縦糸及び横糸の、ヤーン又は繊維で織成されることを特徴とする請求項４５に記載の方法。
【請求項４８】
前記第１織成布と前記第２織成布との間の複数の独立した領域における複数のヤーンを織り交ぜるステップと；
前記第１織成布を、複数の領域における前記第２織成布の上部表面から、切断するステップと；
第１方向に複数の補強材を形成するように、前記第１織成布及び第２織成布の複数の前記の織り交ぜられた領域の複数の第１の側面上の複数の第１の部分を、前記第１織成布及び第２織成布の複数の前記の織り交ぜられた領域の複数の第２の側面上の複数の第１の部分とともに折り畳むステップと；
第２方向に形成された補強材用の複数の強化部材を形成するように、前記の複数の補強材の複数の第２の部分を折り畳むステップと；
第２方向に補強材を提供するように、前記第１織成布に相対して、前記第２織成布及び第３織成布の各部分を折り畳むステップと；
前記のプレフォームのパネル部分を完成するように、前記の折り畳み可能な第３の布の第２の部分を折り畳むステップと；
をさらに有することを特徴とする請求項４５に記載の方法。
【請求項４９】
第４織成布を設けるステップと；
前記第３織成布と前記第４織成布との間の複数のヤーンを織り交ぜるステップであって、該複数のヤーンは、前記第３織成布に相対して前記第４織成布が折り畳み可能なように、前記第３織成布と第４織成布との間の領域上に織り交ぜられる、ステップと；
前記第４織成布を、前記第３織成布の上部表面に対して切断するステップと；
第１方向に補強材を形成するように、前記第３織成布及び第４織成布の前記の織り交ぜられた領域の第１の側面上の第１の部分を、前記第３織成布及び第４織成布の前記の織り交ぜられた領域の第２の側面上の第１の部分とともに折り畳むステップと；
第２方向に形成された補強材用の強化部材を形成するように、前記補強材の第２の部分を折り畳むステップと；
第２方向に補強材を提供するように、前記第２織成布に相対して、前記第３織成布の第１の部分を折り畳むステップと；
前記プレフォームのパネル部分を完成するように、前記第３織成布の第２の部分を折り畳むステップと；
をさらに有することを特徴とする請求項４５に記載の方法。
【請求項５０】
縦糸繊維のパターンは、層から層、直交、及び角度的な連結からなる群から選択されるパターンであることを特徴とする請求項４５に記載の方法。
【請求項５１】
織り交ぜられるヤーンは、縦糸ヤーン又は横糸ヤーンであることを特徴とする請求項４５に記載の方法。
【請求項５２】
前記縦糸及び横糸ヤーンは、炭素、ナイロン、レーヨン、ポリエステル、繊維ガラス、綿、ガラス、セラミック、アラミド及びポリエチレンを有する合成又は天然材料の群から選択されることを特徴とする請求項４５に記載の方法。
【請求項５３】
樹脂トランスファー成形及び化学蒸気浸透法を有する群から選択される方法により、複合構造が形成されることを特徴とする請求項４５に記載の方法。
【請求項５４】
マトリックス材料は、エポキシ、ポリエステル、ビニル−エステル、セラミック及び炭素を有する群から選択されることを特徴とする請求項４５に記載の方法。